(57)【要約】【課題】敷設場所を小さくでき、省スペース性に優れ、更に要求されるブロワー量に合わせて低廉且つ容易にブロワーの数も変更できるブロワーボックスを提供する。【解決手段】ブロワーボックスを、ブロワーを載置する矩形状の底面と、該底面の四辺のうち三面には前記ブロワーを収納する側壁が立設され、残る一面にはその底面から所定高さの前面壁が立設され、前記側壁と前記前面壁との側面開口部分を閉塞する扉が設けられているブロワーボックスであって、前記扉は扉面と該扉面の四辺に設けた枠部とからなり、前記枠部の底面には空気流入孔が１ないし複数穿設され、前記扉は前記開口部分を閉塞し、前記空気流入孔から空気がボックス内に流入するように構成する。【選択図】図１
2008286192.tif 000002
【特許請求の範囲】
【請求項１】
ブロワーを載置する底面と、該底面に立設した側面と、該側面の一部を上方から所定の範囲で切除して形成される側面開口部と、該側面開口部を開閉自在に閉塞する扉とからなり、前記扉は扉面と該扉面の四辺に設けた枠部とからなり、前記枠部の底面には空気流入孔が１ないし複数穿設され、前記扉で前記開口部分を閉塞し、前記空気流入孔から空気がボックス内に流入するように構成さしたブロワーボックス。
【請求項２】
ブロワーを載置する矩形状の底面と、該底面の四辺のうち三面には前記ブロワーを収納する側壁が立設され、残る一面にはその底面から所定高さの前面壁が立設され、前記側壁と前記前面壁との側面開口部分を閉塞する扉が設けられているブロワーボックスであって、前記扉は扉面と該扉面の四辺に設けた枠部とからなり、前記枠部の底面には空気流入孔が１ないし複数穿設され、前記扉は前記開口部分を閉塞し、前記空気流入孔から空気がボックス内に流入するように構成されたブロワーボックス。
【請求項３】
ブロワーを載置する矩形状の底面と、該底面の四辺のうち三面には前記ブロワーを収納する側壁が立設され、残る一面にはその底面から所定高さの前面壁が立設され、前記側壁と前記前面壁との側面開口部分を閉塞する扉が設けられ、前記扉は扉面と該扉面の四辺に設けた枠部とからなり、前記枠部の底面には空気流入孔が１ないし複数穿設され、前記扉は前記開口部分を閉塞し、前記空気流入孔から空気がボックス内に流入するように構成されたブロワーボックスの前記底面にブロワーを載置し、ブロワーを載置した前記ブロワーボックスを複数個上下に積み重さね、前記ブロワーに供給する空気を前記空気流入孔から取り入れるように連結し、最上段のブロワーボックスの上面開口に蓋を設けてなることを特徴とするブロワーボックスの敷設方法。
【発明の詳細な説明】
【技術分野】
【０００１】
本発明は、ブロワーを格納するブロワーボックス、並びに該ブロワーボックスを敷設する方法に関するものである。
【背景技術】
【０００２】
従来、電子電気機器や産業機械の冷却或いは送風に使用されるブロワーを敷設する場合、一般に図４（ａ）に示すようにコンクリート製台５５上にブロワー５０を並べて敷設する。或いは必要数のブロワーを図４（ｂ）に示すブロワーボックス５１内に並べて収納して敷設する。
【０００３】
又、特許文献１に開示される電子ユニットを配置した装置フレーム内に送風機ボックスを同載するものもある。この特許文献１に開示される冷却構造では、送風機ボックスに送風機ユニットを出入り可能なように敷設することで安全性と保守点検性が高められている。
【０００４】
【特許文献１】特許第３２９６１８１号公報
【発明の開示】
【発明が解決しようとする課題】
【０００５】
ところで、特許文献１に開示されるものでは、同載できないような規模の機器や機械への対応は難しく、その使用が限定されてしまう。そこで、一般には、図４（ａ）や図４（ｂ）に示される敷設方法が採られる。
【０００６】
しかしながら、コンクリート製台５５上にブロワー５０を並べて敷設する図４（ａ）の方法では、ブロワー能力が大きく要求される場合には、多数のブロワーを床面に並べなくてはならず、そのためには広い敷設面積を必要とする問題点がある。
【０００７】
同様に、図４（ｂ）のブロワーボックス５１に収納する方法では、ブロワー能力の要求拡大に伴いブロワー数を多くするために必然的に収納するブロワーボックスも大きくならざるを得ず、敷設場所やコスト面での問題が生じてしまう。
【０００８】
また、図４（ｂ）のように一つの空間に複数台のブロワー５０を設置、収納し、作動した場合に、吸気口５４に面するブロワー５０ａと吸気口５４から離れた位置にあるブロワー５０ｂとでは、吸気できる空気量に差が生じやすくなり、ブロワー能力のバラツキ及び低下などの不具合が生じる。或いは、ブロワー同士が干渉しあってブロワー能力の低下や故障の原因ともなってしまう。
【０００９】
更に、通常図４（ｂ）に示すようにブロワーボックス５１の扉５２の半面には制御部５３が設けられ、もう半面にブロワーのためのガラリと呼ばれる吸気口５４が設けられているが、ブロワー５０の運転状況によっては、ブロワー５０への吸気が十分でなくなり、その結果ブロワー５０の電動機を発熱させ、ブロワーボックス５１内の温度を上昇させる。
このようにブロワーボックス内の温度が上昇すると、ブロワーの潤滑油の消費が早まり、その補充が煩雑になり、全体としてブロワーのメンテナンス性を低下させる原因ともなる。同時に、ブロワーボックス５１内の圧力が下がることで、屋外に敷設されている場合には、雨滴を吸い込み易くなり故障の原因ともなってしまう恐れもある。
【００１０】
このような問題に対して、本発明はブロワーを収納する同一形状のブロワーボックスを提供し、該ブロワーボックスを積み重ねて敷設する構造とし、省スペース性を図り、要求されるブロワー量に合わせて容易にブロワーの数を変更でき、吸気を担うに十分な吸気孔（空気流入孔）を有するブロワーボックス、並びにブロワーボックスの敷設方法を提供するものである。
【課題を解決するための手段】
【００１１】
本発明のブロワーボックスは、ブロワーを載置する底面と、該底面に立設した側面と、該側面の一部を上方から所定の範囲で切除して形成される側面開口部と、該側面開口部を開閉自在に閉塞する扉とからなり、前記扉は扉面と該扉面の周囲に設けた枠部とからなり、前記枠部の底面には空気流入孔が１ないし複数穿設され、前記扉で前記開口部分を閉塞し、前記空気流入孔から空気がボックス内に流入するように構成されている。
【００１２】
本発明のブロワーボックスは、ブロワーを載置する矩形状の底面と、該底面の四辺のうち三面には前記ブロワーを収納する側壁が立設され、残る一面にはその底面から所定高さの前面壁が立設され、前記側壁と前記前面壁との側面開口部分を閉塞する扉が設けられているブロワーボックスであって、前記扉は扉面と該扉面の四辺に設けた枠部とからなり、前記枠部の底面部には空気流入孔が１ないし複数穿設され、前記扉は前記開口部分を閉塞し、前記空気流入孔から空気がボックス内に流入するように構成されたものである。
【００１３】
発明のブロワーボックスの敷設方法は、ブロワーを載置する矩形状の底面と、該底面の四辺のうち三面には前記ブロワーを収納する側壁が立設され、残る一面にはその底面から所定高さの前面壁が立設され、前記側壁と前記前面壁との側面開口部分を閉塞する扉が設けられ、前記扉は扉面と該扉面の四辺に設けた枠部とからなり、前記枠部の底面には空気流入孔が１ないし複数穿設され、前記扉は前記開口部分を閉塞し、前記空気流入孔から空気がボックス内に流入するように構成されたブロワーボックスの前記底面にブロワーを載置し、ブロワーを載置した前記ブロワーボックスを複数個上下に積み重さね、前記ブロワーに供給する空気を前記空気流入孔から取り入れるように連結し、最上段のブロワーボックスの上面開口に蓋を設けてなることを特徴とするものである。
【発明の効果】
【００１４】
本発明ブロワーボックスは、扉面の周囲に設けた枠部の底面部に、ブロワーへの吸気を担うに十分な大きさの空気流入孔を設けたので、ブロワーボックス内の温度上昇を防止し、ブロワーの潤滑油の消耗を抑制することができる、優れた効果を有するものである。
本発明のブロワーボックス敷設方法は、ブロワーを納める同一形状のブロワーボックスを積み重ねることができるため、その敷設場所を小さくでき、省スペース性に優れ、更に要求されるブロワー量に合わせて容易にブロワーの数も変更できる、優れた効果を有するものである。
【発明を実施するための最良の形態】
【００１５】
図を用いて本発明の実施形態に係るにつき説明する。
図１は、本発明ブロワーボックスの一実施形態を示す斜視図である。
図１に示すブロワーボックス１は、ブロワー２（図２参照）を載置する矩形状の底面３と、該底面３の四辺４１、５１、６１、７１のうちの三面４１、５１、６１に立設された側壁４、５、６と、残る一辺７１に立設された前面壁７とからなり、前記側壁４、５、６はブロワー２を収納しうる高さに構成され、前記前面壁７は後述する扉８の高さと合わせて前記側壁の高さとなる所定の高さに構成されている。
【００１６】
ブロワーボックス１には前記側壁４、６と前記前面壁７とで形成される側面開口部分８１を閉塞する扉８が設けられている。該扉８は扉面８２と、該扉面８２の四辺に設けた枠部９（９１、９２、９３、９４）とからなり、前記枠部９の底枠９４には空気流入孔１０が１ないし複数穿設されている。
扉８は例えば図示しない蝶番等で側壁６の端部に回動自在に固定され、前記開口部分８１を閉塞し、前記空気流入孔１０から空気がボックス内に流入するように構成されている。
なお、図中２２はブロワー２からの排気を導く排気管が接続される排気口である。
【００１７】
図２は本発明ブロワーボックスの敷設方法の一実施形態を示すもので、（ａ）は正面図、（ｂ）は側面図である。
図２は前記ブロワーボックス１を縦に３台積み重ねて使用する状態を示している。各ボックス１にはブロワー２が収納され、ボックス１の底面３に固定されている。積み重ねられたブロワーボックス１、１、１各々は連結具２０で連結され、崩壊しないように載置されている。最上階のボックス１には蓋１３が被せられている。ブロワー２の運転はボックスのサイドに設置された制御装置４０により運転、停止等の操作が制御される。
【００１８】
上述したように、同形状のブロワーボックス１を用い、それを多段数、積み重ねて使用することができるので、狭い敷設場所でも必要数のブロワーの敷設が可能であり、省スペース化と低廉化を可能とすることができる。また、ブロワーボックス１には天井がないが、積み重ねることで上の段のボックス１の底面が下の段の天井を構成することになり、最上段にのみ蓋１３を被せることで、ブロワー２の設置作業を容易にしている。
【００１９】
制御装置４０によりブロワー２が運転されると、ボックス１内の空気は排気口２２（図１参照）から送り出される。なお、各ボックス１に排気口２２が設けられている場合は、不必要な排気口２２には盲栓をして閉塞する。
ブロワー２が稼動し、ボックス１内が減圧されると外気が各ボックス１の扉８の底枠９４に設けた空気流入孔１０から入り込み、ブロワー２に十分な外気を供給するとともに、ブロワー２からの熱を排気口２２方面に廃熱する。また、各ボックス１にはそれぞれに設けた空気流入孔１０から十分な外気を取り込めるため、ブロワー２の温度上昇が抑えられ、したがってブロワー２の運転を支えている潤滑油が熱劣化するようなこともない。
【００２０】
扉８の枠部９に設ける空気流入孔１０は底枠９４に円形、楕円形、角形等任意の形状、大きさ、個数で設けることができる。また、ボックス１内に設置するブロワー２の能力に応じた大きさ、個数とすることができる。
なお、前記底枠９４に穿設する空気流入孔１０のみでは吸気量が足りない場合には、枠部の他の面に、あるいは前面壁７に空気流入孔を設けることもできる。しかし、側面に空気流入孔を設けると、ボックス１を屋外に設置した際に雨水をボックス内に呼び込むことがあるため、好ましいことではない。吸気量が不足する場合には枠部９の幅を広くして、底枠部分の面積を広げて空気流入孔１０の開口面積を広げるようにすると良い。底枠部分に空気流入孔１０を設けることで、孔１０を大きくしても雨水がボックス１内に浸入する恐れはない。
【００２１】
ブロワーボックス１の形状は、本実施形態で示す直方体の形状に限ることはなく、敷設場所や使用形態に合わせて、積み重ね易い五角柱体や六角柱体などの柱体を用いても良い。
通常ブロワー２は、個々のブロワーボックス１内に各１台ずつが収められており、ブロワー２の交換、保守、点検などは、ブロワーボックス１に設けられている扉８を開閉し、あるいは天井から行うことができるので、容易に行うことができる。
【００２２】
更に、ブロワーボックス１にブロワー２を収納することで、ブロワー２を個々に隔離できることから、従来の図４（ｂ）のブロワーボックス５１内で生じるブロワー５０同士による干渉の問題も容易に回避することができる。
なお、用いるブロワー２の大きさによっては、ブロワー２が干渉しない範囲で複数のブロワー２をブロワーボックス１内に載置しても良い。
【００２３】
図３は、本発明ブロワーボックス敷設方法の他の実施形態を示すもので、ブロワーボックス１を２列、３段に積み重ねた状態を示す正面図である。なお、図１、２に示す実施形態と同一部分は同一符号を付して詳細な説明は省略する。
【００２４】
図３に示すブロワーボックス敷設方法は、ブロワーボックス１を２列３段に設置した実施形態を示している。ブロワーボックス１に位置決め突起２１を設け、該位置決め突起２１により位置決めし、ブロワーボックス１を２列、３段、計６基積み重ね、その最上段に蓋１３を被せ、積み重ねた６基のブロワーボックス１を、連結ジョイント２３で連結、固定する構造となっている。
【００２５】
ブロワー２の能力の増強を要求される場合には、ブロワーボックス１を複数列、多段積みとすることで容易に対応することができる。
【００２６】
上述したように、本発明ブロワーボックス１は、扉面８２の四辺に設けた枠部９の底枠９４に、ブロワー２への吸気を担うに十分な大きさの空気流入孔１０を設けたので、ブロワーボックス１内の温度上昇を防止し、ブロワーの潤滑油の消耗を抑制する、優れた効果を有する。
【００２７】
本発明に係るブロワーボックスの敷設方法は、ブロワー２を納める同一形状のブロワーボックス１を必要基数、積み重ねることができるため、その敷設場所を小さくでき、省スペース性に優れ、更に要求されるブロワー量に合わせて容易にブロワー２の数も変更できる、優れた効果を有するものである。
【図面の簡単な説明】
【００２８】
【図１】本発明の一実施形態のブロワーボックスを示す斜視図である。の実施形態の一例を示す図で、
【図２】本発明ブロワーボックス敷設方法の一実施形態を説明するための図で、（ａ）は正面図、（ｂ）は側面図である。
【図３】本発明ブロワーボックス敷設方法の他の実施形態を説明するための側面図である。
【図４】従来のブロワーの敷設方法を示す平面図である。
【符号の説明】
【００２９】
１      ブロワーボックス
２      ブロワー
３      底面
４      側壁
５      側壁
６      側壁
７      前面壁
８      扉
９      枠部
１０    空気流入孔
１３    蓋
２０    連結具
２１    突起
２２    排気口
２３    連結ジョイント
４０    制御装置
８１    側面開口部分
８２    扉面
９４    底枠
【図１】
2008286192.tif 000003
【図２】
2008286192.tif 000004
【図３】
2008286192.tif 000005
【図４】
2008286192.tif 000006